(57)【特許請求の範囲】
【請求項１】
ユーザの手から水を拭き取るエアナイフを使用する形式の壁に取り付け可能な手乾燥装置であって、
前記手乾燥装置は、前記手乾燥装置が前記壁に埋め込まれずに壁面に取り付けられる場合に前後方向１５０ｍｍ以下の最大奥行きを有するように構成され、
前記手乾燥装置は、前記壁から又は前記手乾燥装置の後部から外向きに突出する突起部を有し、前記エアナイフは、前記ユーザが手を前記手乾燥装置の前記突起部の真下で前後方向に移動させる際に手の上に下向きに指向され、前記エアナイフは、移動する空気のシート又はカーテンの形態であり、８０ｍ／ｓを超える速度で１つ又はそれ以上の放出開口を通じて放出され、前記放出開口は、前記壁から又は前記手乾燥装置の後部から少なくとも７５ｍｍだけ離間するように、前記突起部の前方に配置され、前記放出開口の幅は、２ｍｍ未満である手乾燥装置。
【請求項２】
前記手乾燥装置の前記最大奥行きは、４インチ（１０１．６ｍｍ）以下である、請求項１に記載の手乾燥装置。
【請求項３】
前記放出開口は、前記壁から前記最大奥行きだけ離間する、請求項１又は請求項２に記載の手乾燥装置。
【請求項４】
前記放出開口は、前記突起部の底面上に設けられる、請求項１〜３のいずれかに記載の手乾燥装置。
【請求項５】
前記放出開口は、前記突起部の前側下縁に沿って設けられる、請求項４に記載の手乾燥装置。
【請求項６】
前記突起部は、前記手乾燥装置の外側ケーシングである、請求項１〜５のいずれかに記載の手乾燥装置。
【請求項７】
前記放出開口は、前記手乾燥装置の前方から見てＶ字構成で配置される、請求項６に記載の手乾燥装置。
【請求項８】
前記放出開口は、前記手乾燥装置の下部に向かい合い、前記放出開口は、前記手乾燥装置の前記下部から少なくとも１２０ｍｍ離間している、請求項１〜７のいずれかに記載の手乾燥装置。
【請求項９】
前記エアナイフは、細長いスロット形態の単一開口を通じて放出される、請求項１〜８のいずれかに記載の手乾燥装置。
【請求項１０】
前記スロットの長さは、少なくとも８０ｍｍである、請求項９に記載の手乾燥装置。
【請求項１１】
前記手乾燥装置は、各手に対して１つのエアナイフを放出する、２つのそれぞれ別個のエアナイフを放出するための２つの前記スロットを備える、請求項９又は１０に記載の手乾燥装置。
【請求項１２】
前記エアナイフは、個々の空気孔の細長いラインを通じて放出される、請求項１〜８のいずれかに記載の手乾燥装置。
【請求項１３】
前記空気孔の細長いラインの合体長さは、少なくとも８０ｍｍである、請求項１２に記載の手乾燥装置。
【請求項１４】
前記手乾燥装置は、各手に対して１つのエアナイフを放出する、２つのそれぞれ別個のエアナイフを放出するための２つの前記空気孔の細長いラインを備える、請求項１２又は１３に記載の手乾燥装置。
【発明の詳細な説明】
【技術分野】
【０００１】
本発明は、ユーザの手の表面から水を拭き取るのにエアナイフを使用する形式の壁に取り付け可能な手乾燥装置に関する。
【背景技術】
【０００２】
手乾燥装置は、一般に、ペーパータオルの代替品として公共トイレに設置される。
【０００３】
市場には３つの主な形式の手乾燥装置、すなわち「温風」手乾燥装置、「高速」手乾燥装置、及び「エアナイフ」手乾燥装置がある。
【０００４】
温風手乾燥装置は良く知られている。これは、常に、空気の加熱に依存して手の表面の蒸発乾燥作用を助長する低流量、低速機械である。一例として、Ｗｏｒｌｄ  Ｄｒｙｅｒ  Ｃｏｒｐｏｒａｔｉｏｎによって製造され、市販されている手乾燥装置のＭｏｄｅｌ  Ａ  Ｓｅｒｉｅｓを挙げることができる。一般に、加熱空気流は、単一ノズルを通って放出され、乾燥動作は、「手を交互に動かす」動作であり、ユーザは蒸発乾燥作用を促すためにノズルの下で両手を一緒に擦り合わせる必要がある。
【０００５】
高速手乾燥装置は、名前が示唆するように、高速空気流（＞８０ｍ／ｓ）を使用して手の表面での運動量乾燥作用をもたらす。一例としては、Ｅｘｃｅｌ  Ｄｒｙｅｒ  Ｉｎｃによって製造され、市販されているＸｌｅｒａｔｏｒ（登録商標）手乾燥装置を挙げることができる。この場合も同様に、空気流は、一般に単一の比較的大きなノズルを通って放出され、使用様式は、温風乾燥装置の「手を交互に動かす」動作に幾分似ており、ノズルの真下で両手を一緒に揃えて保持し又はカップ形状にして乾燥させる。しかしながら、蒸発する代わりに、手の表面上の大部分の水は、高運動量空気流によって手から追いやられ又は吹き飛ばされ、蒸発は、ごく一部の水の除去を担う。空気流は、ほとんど加熱されないが、空気流をある程度まで加熱するためにモータからの廃熱を使用することもできる。
【０００６】
第３の一般的な形式の手乾燥装置は、エアナイフ手乾燥装置であり、一例として、Ｄｙｓｏｎ  （ＵＫ）  Ｌｉｍｉｔｅｄによって製造される手乾燥装置の領域のＤｙｓｏｎ  Ａｉｒｂｌａｄｅ、及びＭｉｔｓｕｂｉｓｈｉ  Ｅｌｅｃｔｒｉｃ  Ｃｏｒｐｏｒａｔｉｏｎによって製造されるＪｅｔ  Ｔｏｗｅｌ手乾燥装置を挙げることができる。
【０００７】
これらの手乾燥装置は、事実上、移動する空気のシート又はカーテンであるエアナイフを使用してユーザの手から水を除去する。動作様式は、産業界のエアナイフの確立した用途に類似しており、製品の表面からデブリ又は液体を除去するようになっており（例えば、エアナイフを使用してガラスシートからのデブリの除去を開示する欧州特許公開第２３９４１２３号参照）、エアナイフは、手の表面を横切って移動するので、手の表面から水を拭き取る又は擦り落とす。
【０００８】
Ｄｙｓｏｎ  Ａｉｒｂｌａｄｅ及びＭｉｔｓｕｂｉｓｈｉ  Ｊｅｔ  Ｔｏｗｅｌの両方において、２つの対向する静止エアナイフは、ユーザの手の各面の一方に使用さる。手をエアナイフの間に挿入し、次に、ゆっくり引き戻して、手とエアナイフとの間に所要の相対移動をもたらす。
【０００９】
図１に示すダイソンの装置において、エアナイフは、各々が１ｍｍ未満の幅の狭い連続スロット（図１には後側スロットａだけが見える）を通って放出される。図２に示すＭｉｔｓｕｂｉｓｈｉの機械において、エアナイフは、この場合は個々の放出開口（図２には後側列ｂだけが見える）の対向する列を通って放出され、個々の噴流は、放出開口の下流にエアナイフを生成するように合体する。いずれの場合でも、エアナイフは、高速（＞８０ｍ／ｓ）で放出されて、手の表面を横切って効率的に拭き取り動作を可能にする。
【００１０】
本発明は、特にエアナイフ手乾燥装置に関連する。
【先行技術文献】
【特許文献】
【００１１】
【特許文献１】欧州特許公開第２３９４１２３号
【非特許文献】
【００１２】
【非特許文献１】Ａｍｅｒｉｃａｎｓ  ｗｉｔｈ  Ｄｉｓａｂｌｉｔｉｅｓ  Ａｃｔ１９９０（ＡＤＡ）
【非特許文献２】ＡＤＡ  Ａｃｃｅｓｉｂｉｌｉｔｙ  Ｇｕｉｄｅｌｉｎｅｓ  ｆｏｒ  ｂｕｉｌｄｉｎｇｓ  ａｎｄ  ｆａｃｉｌｉｔｉｅｓ（ＡＤＡＡＧ）
【発明の概要】
【課題を解決するための手段】
【００１３】
本発明によれば、ユーザの手から水を拭き取るためにエアナイフを使用する形式の壁に取り付け可能な手乾燥装置が提供され、手乾燥装置は、該手乾燥装置が壁に埋め込まれるのではなく壁面に取り付けられる場合に、前後に１５０ｍｍ以下の最大奥行きを有するように構成され、乾燥装置は、壁又は該乾燥装置の後部から外向きに突出する突起部を有し、エアナイフは、ユーザが手を乾燥装置の突起部の真下で前後方向に移動させる際に手の上に下向きに指向され、エアナイフは、１つ又はそれ以上の放出開口を通じて放出され、放出開口は、壁から又は場合によっては乾燥装置の後部から少なくとも７５ｍｍだけ離間するように突起部の前方に配置される。
【００１４】
手乾燥装置は、薄型設計であるという利点を有する。手乾燥装置が壁面に取り付けられる場合の１５０ｍｍの最大奥行きは、Ｄｙｓｏｎ  Ａｉｒｂｌａｄｅ手乾燥装置（約２５０ｍｍの前後奥行き）又はＭｉｔｓｕｂｉｓｈｉ  Ｊｅｔ  Ｔｏｗｅｌ手乾燥装置（約２２０ｍｍの前後方向奥行き）の現在に範囲よりも著しく小さい。特に、乾燥装置の最大奥行きは、４インチ（１０１．６ｍｍ）以下とすることができ、Ａｍｅｒｉｃａｎｓ  ｗｉｔｈ  Ｄｉｓａｂｌｉｔｉｅｓ  Ａｃｔ１９９０（ＡＤＡ）に準拠して、手乾燥装置の壁面取り付けが可能になる。これにより、ＡＤＡに準拠するために壁内に手乾燥装置を埋め込む不都合及びそのための費用を避けることができ、特に手乾燥装置を据え付ける場合に好都合である。
【００１５】
外形奥行きが著しく低減するにもかかわらず、乾燥装置は、効率的なエアナイフ乾燥動作を可能にする。ユーザは、手のひらを開いて手を突起部の真下で前後方向に移動させて手を乾燥させ。エアナイフは手の上に下向きに指向され、手が放出スロットに対して移動すると、エアナイフは、ユーザの手の表面から機械的に水を拭き取って手を乾燥させる。
【００１６】
乾燥動作は、前後動作であるので、ユーザは、手を下方に縦傾斜させることによって前後に乾燥装置の有効奥行きを増大させることができる。最適な縦傾斜角は、ユーザが必要とする有効奥行きにより様々であり、大きな手のユーザは、手を急角度で縦傾斜させることになる。しかしながら、壁から少なくとも７５ｍｍだけ放出開口を離間することによって、縦傾斜角は、殆どのユーザにとって快適な範囲に維持される。従って、本発明は、依然として効率的なエアナイフ乾燥動作を可能にする薄型手乾燥装置を提供する。
【００１７】
放出開口は、好ましくは、壁から最大奥行きだけ離間する。これは、使用時に乾燥装置の有効奥行きを最大にする。
【００１８】
放出開口は、突起部の底面上、好ましくは突起部の前側下縁に沿って設けられ、放出開口と壁（又は乾燥装置の後部）との間の間隔を最大にすることができる。
【００１９】
突起部自体は、使用時に壁から突出する乾燥装置の外側ケーシングとすることができ、その場合には、乾燥装置の有効奥行きは、放出開口をケーシングの前側下縁に沿って配置することによって最大にすることができる。
【００２０】
放出開口は、Ｖ字構成（乾燥装置の前方から見て）で配置することができる。このことで、使用時にユーザが快適な角度で彼又は彼女の手を傾けることが可能になる。
【００２１】
放出開口は、好ましくは、エアナイフがユーザの手の全幅だけ拭き取り動作を与えるように、ユーザの手の幅にわたって延びるように配置される。少なくとも８０ｍｍの横方向スパンが好ましいと考えられるが、必須ではない。同時に両手を乾燥させることが意図される場合、放出開口は、放出開口の真下で横並びの両手の幅にわたって延びるように配置することができる。少なくとも２００ｍｍの横方向スパンがこの場合には好ましいと考えられるが、この場合も同様に必須ではなく、例えば特定の国では短いスパンが適する場合がある。
【００２２】
放出開口は、好ましくは、エアナイフがユーザの手の全幅だけ拭き取り動作を与えるように、ユーザの手の幅にわたって延びるように配置される。少なくとも８０ｍｍの横方向スパンは、ほとんどの場合には十分であると考えられる。同時に両手を乾燥させることが意図される場合、放出開口は、放出開口の真下で横並びの両手の幅にわたって延びるように配置することができる。少なくとも２００ｍｍの横方向スパンがこの場合には好ましいと考えられるが、この場合も同様に必須ではなく、例えば特定の国では短いスパンが適する場合がある。
【００２３】
放出開口を通る出口空気速度は、好ましくは８０ｍ／ｓを超えて、エアナイフが手の表面において効率的に拭き取り動作を行うことを保証する。特に効率的な拭き取り動作は、１５０ｍ／ｓを超える空気速度で得ることができる。出口空気速度は、放出開口の放出面積及び背圧による一般的なエアナイフ原理に基づいて決まる。従って、例えば、放出面積を増やすと、所定の圧力において出口空気速度が低下することになる。所定の放出面積に対して圧力を高くすると、出口空気速度が高まることになる。
【００２４】
放出開口は、列に配置された空気孔、又は代替的に細長い空気スロットの形態をとることができる。例えば、単一の細長い空気スロット又は空気孔の列を設けて、単一のエアナイフを放出して手を順に乾燥させることができ、一対の空気スロット又は空気孔の列を設けて、２つの別個のエアナイフを発生させて、手を同時に乾燥させることができ、又は単一の細長い空気スロット又は空気孔の列を設けて、十分に長い単一エアナイフを発生させて、同時に横並びに手を乾燥させることができる。
【００２５】
スロット又は空気孔は、最小ウインド・シアを有する層流の明確に定義されたエアナイフをもたらすことを意図する２ｍｍ未満の幅とすることができる。１つの実施形態において、スロットの長さ又は空気孔の列の長さは、少なくとも８０ｍｍである。
【００２６】
１つの実施形態において、放出開口は、手乾燥装置の下部ではなくて床面に向かい合うように、手乾燥装置の外側ケーシングの底面上に設けられる。この配置は、放出開口の真下に使用時に手を縦傾斜させるための大きな距離間隔をもたらす。
【００２７】
本発明の実施形態は、添付の図面を参照して以下に説明される。
【図面の簡単な説明】
【００２８】
【図１】従来のエアナイフ手乾燥装置の概略斜視図である。
【図２】従来のエアナイフ手乾燥装置の概略斜視図である。
【図３】本発明の第１の実施形態による、壁に取り付け可能な手乾燥装置の概略斜視図である。
【図４】図３の手乾燥装置の側面図である。
【図５】図３に示す手乾燥装置を見下ろした概略図であり、手乾燥装置の使用モードを示す。
【図６】図３の手乾燥装置の底部の側面図である。
【図７】本発明の第２の実施形態による、壁に取り付け可能な手乾燥装置の概略斜視図である。
【図８】図７に対応する側面図である。
【図９】本発明の第３の実施形態による、壁に取り付け可能な手乾燥装置の概略斜視図である。
【図１０】図９に対応する側面図である。
【図１１】本発明の第４の実施形態による、壁に取り付け可能な手乾燥装置の概略斜視図である。
【図１２】本発明の第５の実施形態による、壁に取り付け可能な手乾燥装置の概略斜視図である。
【図１３】本発明の第６の実施形態による、壁に取り付け可能な手乾燥装置の概略斜視図である。
【図１４】本発明の第７の実施形態による、壁に取り付け可能な手乾燥装置の概略斜視図である。
【図１５】図１４に対応する側面図である。
【発明を実施するための形態】
【００２９】
簡略化のために、以下の説明において特に説明しない限り、対応する特徴要素には対応する参照番号が付与される。
【００３０】
図３及び図４は、移動する空気のカーテン又はシートであるエアナイフ３を使用して機能して、ユーザの手から水を拭き取る壁に取り付け可能な手乾燥装置１を示す。
【００３１】
手乾燥装置１は、標準的な壁取り付け方向で示されている。
【００３２】
手乾燥装置１は、壁７から最大奥行きＸだけ突出する外側箱形ケーシング５を備える。この場合、Ｘ＝４インチ（１０１．６ｍｍ）なので、この乾燥装置はＡＤＡ（Ａｍｅｒｉｃａｎｓ  ｗｉｔｈ  Ｄｉｓａｂｌｉｔｉｅｓ  Ａｃｔ１９９０）に準拠する。
【００３３】
４．４．１  概要  仕上げ床面上に２７インチから８０インチ（６８５ｍｍから２０３０ｍｍ）の前縁を有する、壁から突出する物体は（例えば、電話）、歩道、ホール、廊下、通路、又は側廊に４インチ（１００ｍｍ）を超えて突出しないものとする。
【００３４】
出典：ＡＤＡ  Ａｃｃｅｓｉｂｉｌｉｔｙ  Ｇｕｉｄｅｌｉｎｅｓ  ｆｏｒ  ｂｕｉｌｄｉｎｇｓ  ａｎｄ  Ｆａｃｉｌｉｔｉｅｓ（ＡＤＡＡＧ）
【００３５】
エアナイフ３は、ケーシング５の底面上の放出開口９を通って下向きに放出される。
【００３６】
放出開口９は、細長い放出スロットの形態であり、細長い放出スロットは、乾燥装置１を横切って横方向に延びる（この場合、壁７と略平行）。
【００３７】
ユーザは、一度に片面の手のひらを開いて放出スロット９の真下で前後方向に手を移動させて手を乾燥さる。これは、乾燥装置を見下ろした図５に示されている。
【００３８】
放出スロット９は、放出スロットの下で横並びに保持した両手の全域にわたって延びることが意図される２５０ｍｍ長である。代替的に、例えば長さ１２０ｍｍの長さの短い放出スロットを使用して、最初に一方の手を乾燥させて次いで他方の手を乾燥させることができる。
【００３９】
手が放出スロット９に対して移動すると、エアナイフ３は、ユーザの手の表面から水を機械的に拭き取って手を乾燥させる。
【００４０】
壁７上の乾燥装置１の浅い奥行きは、手が乾燥装置１の真下で水平に保持される場合、一般的なユーザの指が壁７と接触する傾向があることを意味する。しかしながら、前後乾燥動作は、ユーザが手を放出スロット９の真下を移動させる際に角度θだけ下向きに縦傾斜させることによって接触を回避できることを意味し、乾燥装置の有効奥行きを増加させる（図６）。
【００４１】
放出ノズルが壁から距離Ｄだけ離間する場合、有効奥行きｄは、Ｄ＝ｄｃｏｓθで示される。ほとんどの場合、快適な縦傾斜角θを提供するために、放出スロット９が使用時に壁５から７５ｍｍだけ離間するように、本発明によればＤは７５ｍｍで設定される。
【００４２】
正確な縦傾斜角θは、Ｄの所定の値に対してユーザ毎に様々である。比較的大きな手をもつユーザは、６０度の縦傾斜角θに一致する有効奥行きｄ、例えば１５０ｍｍを好む場合があるのに対して、小さな手をもつユーザは、約５０度の縦傾斜角θに一致する１２０ｍｍの有効奥行きｄを必要とする場合もある。
【００４３】
乾燥装置の最大奥行きが７５ｍｍを超える場合、より浅い縦傾斜角θは、更に乾燥装置の前方に向かって放出開口を配置することによって達成できる。
【００４４】
放出スロット９は、乾燥装置１の外側ケーシング５の内側に収容されたダクテッドモータ駆動式ファンを用いて給送され、ファンは、ケーシング５の側面上の吸気口１１を通じて空気を引き込み、放出スロット９を通じて空気を強制的に送り出してエアナイフ３を発生させる。
【００４５】
放出スロット９は、２ｍｍ未満の幅である。モータ駆動式ファンは、放出スロット９を通じて８０ｍ／ｓを超える出口空気速度をもたらすように構成される。このことは、低いウインド・シアを呈する明確に定義された高速層流のエアナイフを提供することが意図される。特に効率的な拭き取り動作は、１５０ｍ／ｓを超える空気速度で得ることができる。
【００４６】
代替的に、圧縮空気の発生源を使用して、スロット９の後側のプレナムチャンバを経由して放出スロット９に給送することができる。
【００４７】
放出スロット９は、ケーシング５の壁に直接形成される。これにより、ケーシング５の掃除が容易になり、ケーシング９自体をスロット９に給送するためのダクト又はプレナムとして利用することが可能になる。
【００４８】
好ましくは、スロット９は、ケーシング５の壁に機械加工され、これは良好な寸法公差をもたらすが、ケーシング５が成形される場合、スロット９自体をケーシング５の一部として成形することができる。
【００４９】
図７は、乾燥装置１０に単一の「二倍スパン」放出スロットではなく、（各手に対して１つの）２つの別個の放出スロット１２、１３を備える配置を示す。ここでは、スロットは、壁から最大奥行きＸだけ離間するように、ケーシングの前側下縁に沿って設けられ（図８参照）、最大奥行きＸは、この場合にはＡＤＡに準拠するように４インチ（１０１．６ｍｍ）である。
【００５０】
この配置では、１５０ｍｍの有効奥行きは、４８度の縦傾斜角θに一致し、１２０ｍｍの有効奥行きは、３４度の縦傾斜角θに一致する。
【００５１】
図９及び図１０は、乾燥装置１００がＶ字構成（乾燥装置１００の前方から見ると）で配置される放出スロット１５、１７を備える配置を示す。これは、ユーザが使用時に手を傾けることを可能にし、乾燥動作をユーザにとって更に快適なものにする。放出スロット１５、１７は、乾燥装置１００の前側下縁に沿って設けられ、乾燥装置１００の縁部は、スロット１５、１７の所要のＶ字形構成をもたらすようにＶ字形である。
【００５２】
案内縦傾斜１９は、この配置でスロット１５、１７の後側に追加的に設けられる。これは必須ではないが、ユーザが使用時に手を下方に縦傾斜させることを促すという利益をもたらす。
【００５３】
エアナイフは、下向きに垂直方向に指向する必要はなく、エアナイフは、例えば、所定の角度で外向きに放出される場合がある。このことは図１１に示されている。ここで、単一の放出スロット７０は、下向き角度でユーザに向かって前向きにエアナイフ３０を放出するように構成される。乾燥装置１’は、他の点は乾燥装置１と同様である。
【００５４】
前記の配置では、放出開口は、壁から突出する乾燥装置の外側ケーシングの底面上に設けられている。図１２は、この場合も同様に単一の放出スロット９の形態の放出開口が、廃水を集めるための乾燥キャビティ２３の天井を形成する突出部２１上に設けられた配置を示す。突出部２１は、この場合には乾燥キャビティ２３の後壁２５から突出して、後壁２５は乾燥装置１１０の後部を形成する。
【００５５】
放出スロット９は、キャビティ２３の後壁２５から７５ｍｍだけ離間する。
【００５６】
一般に、放出開口が乾燥装置の下部、例えば、乾燥装置１１０のキャビティ２３を乾燥させる基部２７と向かい合う場合、放出開口は、好ましくは、放出スロットの下に十分な空間距離をもたらすように乾燥装置の下部から距離Ｃだけ離間しており、大部分のユーザが乾燥装置の下部に触れることなく手を下向きに縦傾斜させることが可能になる。図１２の配置では、距離Ｃは、放出スロット９が乾燥キャビティ２３の基部２７から１２０ｍｍだけ離間するように１２０ｍｍに設定される。
【００５７】
図１３は、放出スロット９が乾燥装置１１００の後部を形成する後部プレート３１から外向きに突出する突出部２９に設けられる配置を示す。この場合、放出スロットは、手乾燥装置の下部ではなくて床面に向かい合い、放出開口の真下に使用時に手を縦傾斜させるための大きな空間距離をもたらす。
【００５８】
図１４及び図１５は、ケーシング５の壁に形成された狭い間隔の孔７００の列の形態の放出開口を備える乾燥装置１０００を示す。
【００５９】
ＡＤＡ準拠は、本発明の本質的な部分ではない。乾燥装置の奥行きＸは、乾燥装置が壁面に取り付ける場合に最大１５０ｍｍとすることができ、これは、依然として図１及び図２に示す従来のエアナイフ手乾燥装置よりも非常に浅い形状である。
【００６０】
本発明は、快適に使用できる効率的なエアナイフ乾燥動作を可能にする比較的浅い手乾燥装置を提供する。
【符号の説明】
【００６１】
１  乾燥装置
３  エアナイフ
５  ケーシング
９  放出開口
１１  吸気口
【図１】
0005923834.tif 000002
【図２】
0005923834.tif 000003
【図３】
0005923834.tif 000004
【図４】
0005923834.tif 000005
【図５】
0005923834.tif 000006
【図６】
0005923834.tif 000007
【図７】
0005923834.tif 000008
【図８】
0005923834.tif 000009
【図９】
0005923834.tif 000010
【図１０】
0005923834.tif 000011
【図１１】
0005923834.tif 000012
【図１２】
0005923834.tif 000013
【図１３】
0005923834.tif 000014
【図１４】
0005923834.tif 000015
【図１５】
0005923834.tif 000016